(57)【要約】      （修正有）【課題】机天板部の上面に二以上の棚体を備えた態様で使用することができると共に、ユーザーが机天板部を広く使うべく棚体を下ろした際にも、棚構造体として有効活用することができる机ユニット、および、棚セットを提供する。【解決手段】机ユニット１は、机天板部２２を有する机本体２と、机天板部の上面に並置可能な大きさの二以上の棚体（本棚３１、整理棚３２）により構成された棚セットと、を備える。各棚体は、机天板部から下ろして高さ方向に積み重ねることで所定高さの棚構造体３０を構成可能であり、棚構造体の構成状態で外観上不可視な位置に、各棚体を連結可能な連結構造部（ダボ孔および、接続軸）が設けられている。【選択図】図１
0003219359.tif 000002
【実用新案登録請求の範囲】
【請求項１】
机天板部を有する机本体と、
前記机天板部の上面に並置可能な大きさの二以上の棚体により構成され、該各棚体は、前記机天板部から下ろして高さ方向に積み重ねることで所定高さの棚構造体を構成可能であり、該棚構造体の構成状態で外観上不可視な位置に、前記各棚体を連結可能な連結構造部が設けられた、棚セットとを備える
机ユニット。
【請求項２】
前記棚セットは、前記棚体の少なくとも１つが棚天板部または中棚板部を有し、該棚体が上位に配置されると共に、前記机本体の側方に隣接させた前記棚構造体の構成状態で、前記棚天板部または前記中棚板部のいずれか一方の上面が前記机天板部と隣接する卓上領域拡張部を構成する
請求項１に記載の机ユニット。
【請求項３】
前記棚セットは、前記棚体の少なくとも１つが棚天板部と中棚板部を有し、該棚体を上位に配置し前記机本体の側方に隣接させた前記棚構造体の構成状態で、前記中棚板部の上面が、前記机天板部の上面と面一または略面一となった卓上領域拡張部を構成する
請求項１に記載の机ユニット。
【請求項４】
前記棚セットは、各棚体が棚天板部を有すると共に、積み重ね状態における各棚体の高さの合計値が前記机天板部上面の高さと同一または略同一であり、前記机本体の側方に隣接させた棚構造体の構成状態で、上位に配置された前記棚体の前記棚天板部の上面が、前記机天板部の上面と面一または略面一となった卓上領域拡張部を構成する
請求項１に記載の机ユニット。
【請求項５】
前記連結構造部は、少なくとも、上位に配置される棚体の下部に形成された第１のダボ孔、下位に配置される棚体の上部かつ前記第１のダボ孔と対応する位置に形成された第２のダボ孔、および、前記第１のダボ孔と前記第２のダボ孔に嵌挿可能な接続軸を有する構造である
請求項１、請求項２、請求項３または請求項４に記載の机ユニット。
【請求項６】
前記棚セットは、前記各棚体の幅方向の寸法、または、同各棚体の奥行き方向の寸法、のいずれか一方あるいは両方が、同一または略同一に設定されている
請求項１、請求項２、請求項３、請求項４または請求項５に記載の机ユニット。
【請求項７】
二以上の棚体により構成され、該各棚体は、机本体の天板上面に並置可能であると共に、前記天板から下ろして高さ方向に積み重ね可能な構造であり、積み重ね状態で所定高さの棚構造体を構成可能であり、該棚構造体の構成状態で外観上不可視な位置に、前記各棚体を連結可能な連結構造部が設けられている
棚セット。
【考案の詳細な説明】
【技術分野】
【０００１】
本考案は、机ユニット、および、棚セットに関する。更に詳しくは、机天板部の上面に二以上の棚体を備えた態様で使用することができると共に、ユーザーが机天板部を広く使うべく棚体を下ろした際にも、棚構造体として有効活用することができる机ユニット、および、棚セットに関する。
【背景技術】
【０００２】
従来から、机の天板上面に本棚等が載置された机ユニットが製造されている。この種の机ユニットは特に子供用の学習机で多くみられ、小学校入学時に購入されることが多く、例えば、下記非特許文献１に記載されているようなものが挙げられる。また、下記非特許文献１に記載されているような学習机を図８に示している。
【０００３】
図８に示す学習机９は、机９１と、机９１の天板９２上面に載置され、その高さが机９１の高さの半分程度である１つの本棚９３を有しており、本棚９３は机９１の天板９２上面と着脱可能に設けられている。
【先行技術文献】
【非特許文献】
【０００４】
【非特許文献１】ＬＯＷＹＡ  キッズ  学習机・学習椅子  学習机  多機能３点セット  サイドラック付き  大人になっても使える  子供部屋  勉強  インターネット＜URL：https://www.low-ya.com/category/KIDS_DESK/F807_G1018.html＞
【考案の概要】
【考案が解決しようとする課題】
【０００５】
ところで、ユーザーである児童が成長し高学年になると、学習や作業で使用する教材や器具が増え、机９１の卓上領域を狭く感じ始めることがある。また、児童が成長し身体が大きくなることでも、机９１の卓上領域を狭く感じ始めることもある。
【０００６】
このような場合、非特許文献１および図８に開示されている学習机９は、天板９２から本棚９３を下ろすことで卓上領域を拡げることができるが、その後に本棚９３の扱いに困るという問題がある。つまり、下ろした本棚９３を床に置き、机９１と並べて利用するような場合、下ろした本棚９３は高さが低いので、天板９２との段差が大きいことから収まりが悪く、見た目だけでなく、使い勝手もよくない。
【０００７】
本考案は、以上の点を鑑みて創案されたものであり、机天板部の上面に二以上の棚体を備えた態様で使用することができると共に、ユーザーが机天板部を広く使うべく棚体を下ろした際にも、棚構造体として有効活用することができる机ユニットを提供することを目的とするものであり、併せて、机天板部の上面に載置して使用することができると共に、ユーザーが机天板部を広く使うべく棚体を下ろした際にも有効活用することができる棚セットを提供することも目的とする。
【課題を解決するための手段】
【０００８】
上記の目的を達成するために本考案の机ユニットは、机天板部を有する机本体と、机天板部の上面に並置可能な大きさの二以上の棚体により構成され、各棚体は、机天板部から下ろして高さ方向に積み重ねることで所定高さの棚構造体を構成可能であり、棚構造体の構成状態で外観上不可視な位置に、各棚体を連結可能な連結構造部が設けられた、棚セットとを備える。
【０００９】
ここで、本考案の机ユニットは、机天板部を有する机本体を備えることにより、机天板部の領域を使用して、ユーザーが読み書きや工作等の作業（以下「作業等」という）を行うことができる。また、机天板部は、その上面が前述の棚セットを載置するための部分となる。
【００１０】
そして、本考案の机ユニットは、二以上の棚体により構成される棚セットを備えており、各棚体を机天板部の上面に並置することで、卓上領域に複数の棚体があって整理整頓がしやすく、作業時の利便性が向上したものとすることができる。また、二以上の棚体により構成されていることで、机天板部から下ろした際に、例えば、一つの棚体では高さが不足することがあるが、二以上の棚体の各々を高さ方向に積み上げることで、所定の高さを有する棚構造体に組み上げることができる。
【００１１】
更に、棚セットは、机天板部から下ろして高さ方向に積み重ねることで所定高さの棚構造体を構成することができ、これによって、ユーザーが卓上領域を拡げたいときに、机天板部から下ろした各棚体を一つの棚構造体にし、引き続き有効活用することができる。また、構成された棚構造体は所定の高さとなるので、例えば、棚構造体を机本体に隣接させ、上位に配置した棚体の天板や中棚板の上面が、机天板部と隣接あるいは連続した場合には、この棚体の天板等が卓上領域を拡張する役割を果たすこともできる。
【００１２】
更にまた、棚構造体の構成状態で外観上不可視な位置に、各棚体を連結可能な連結構造部が設けられているので、棚構造体とした際に各棚体が連結され、相互に外れにくくなって安定性が向上し、これにより、使用するユーザーの安全性を向上させることができる。また、連結構造部は、棚構造体の構成状態で外観上不可視な位置（例えば、上位に配置された棚体の下面と、下位に配置された棚体の上面の間の領域で、各棚体の表面に現れない位置）に設けられたことにより、接続金具等が外部に見えず、見た目が良い棚構造体となる。
【００１３】
また、棚セットは、棚体の少なくとも１つが棚天板部または中棚板部を有し、棚体が上位に配置されると共に、机本体の側方に隣接させた棚構造体の構成状態で、棚天板部または中棚板部のいずれか一方の上面が机天板部と隣接する卓上領域拡張部を構成する場合は、棚天板部または中棚板部のいずれか一方の上面による卓上領域拡張部を以て、机天板部と合わせた卓上領域を拡張することができる。これにより、例えば、子供の成長に伴って増えた教材等を卓上で展開しやすくすることができる。
【００１４】
なお、「棚天板部または中棚板部のいずれか一方の上面が机天板部と隣接する」とは、棚天板部または中棚板部のいずれか一方の上面と机天板部の上面とが面一または略面一の態様であってもよいし、棚天板部または中棚板部のいずれか一方の上面が机天板部の上面よりも所定距離を空けて高い態様あるいは低い態様（すなわち、段差がある態様）も含む意味である。
【００１５】
また、棚セットは、棚体の少なくとも１つが中棚板部を有し、該棚体を上位に配置し机本体の側方に隣接させた棚構造体の構成状態で、中棚板部の上面が、机天板部の上面と面一または略面一となった卓上領域拡張部を構成する場合は、中棚板部の上面による机天板拡張部を以て、机天板部と連続し拡張された卓上領域を形成することができる。これにより、例えば、子供の成長に伴って増えた教材等を卓上で展開しやすくすることができる。
【００１６】
加えて、前述の棚セットによれば、拡張された卓上領域が中棚板部と面一または略面一であるので、卓上に置いた教材の高さが不均衡になる等の不都合が生じにくく、段差の不存在により、ユーザーの使用感が良い。また、棚天板部の上面にも物を置くスペースを確保することができる。
【００１７】
また、棚セットは、各棚体が棚天板部を有すると共に、積み重ね状態における各棚体の高さの合計値が机天板部上面の高さと同一または略同一であり、机本体の側方に隣接させた棚構造体の構成状態で、上位に配置された前記棚体の棚天板部の上面が、机天板部の上面と面一または略面一となった卓上領域拡張部を構成する場合は、棚天板部の上面による卓上領域拡張部を以て、机天板部と連続し拡張された卓上領域を形成することができる。これにより、例えば、子供の成長に伴って増えた教材等を卓上で展開しやすくすることができる。
【００１８】
加えて、前述の棚セットによれば、拡張された卓上領域が机天板部と面一または略面一であるので、卓上に置いた教材の高さが不均衡になる等の不都合が生じにくく、段差の不存在により、ユーザーの使用感の良さと、見た目の良さを兼ね備えるものとすることができる。
【００１９】
そして、各棚体が棚天板部を有するので、棚体のいずれを上にしたとしても、机天板部と面一または略面一な卓上領域拡張部が構成され、ユーザーが所望する方の棚体を上位に配置した態様（例えば、本棚である棚体を上に、整理棚である棚体を下にした態様等）にした棚構造体を得ることができる。
【００２０】
また、連結構造部は、少なくとも、上位に配置される棚体の下部に形成された第１のダボ孔、下位に配置される棚体の上部かつ第１のダボ孔と対応する位置に形成された第２のダボ孔、および、第１のダボ孔と第２のダボ孔に嵌挿可能な接続軸を有する構造である場合は、棚構造体の構成状態で外観上不可視な位置に、最小限の構成で安定した連結構造にすることができる。また、各棚体に分解して机天板部に載置する際には、接続軸を外して各ダボ孔を塞ぐキャップを嵌めておく等すれば、不使用状態の連結構造部が目立たず、見た目が良い。
【００２１】
更に、各棚体の両方に第１のダボ孔と第２のダボ孔を設ければ、各棚体を上下どちらに配置したとしても、他の棚体と連結することができ、ユーザーは、棚構造体を好みの態様に組み立てることができる。
【００２２】
また、棚セットは、各棚体の幅方向の寸法、または、各棚体の奥行き方向の寸法、のいずれか一方あるいは両方が、同一または略同一に設定されている場合は、棚構造体とした際に、各棚体の幅方向または奥行き方向の寸法が揃うので、見た目のまとまりの良さが向上する。特に、各棚体の幅方向の寸法と奥行き方向の寸法の両方が同一または略同一に設定されている場合は、見た目のまとまりの良さが更に向上する。
【００２３】
上記の目的を達成するために本考案の棚セットは、二以上の棚体により構成され、各棚体は、机本体の天板上面に並置可能であると共に、天板から下ろして高さ方向に積み重ね可能な構造であり、積み重ね状態で所定高さの棚構造体を構成可能であり、棚構造体の構成状態で外観上不可視な位置に、各棚体を連結可能な連結構造部が設けられている。
【００２４】
ここで、本考案の棚セットは、机本体の天板上面に各棚体を並置することで、机と棚体を備えた机ユニットにすることができる。また、ユーザーが机天板部を広く使うべく各棚体を下ろした際にも、各棚体を高さ方向に積み重ねることで、所定高さの棚構造体として有効活用することができる。
【００２５】
そして、所定高さになった棚構造体は、例えば、机本体に隣接させ、上位に配置した棚体の天板の上面や中棚板の上面が、机天板部と隣接あるいは連続した場合には、この棚体の天板等を以て卓上領域を拡張することもできる。また、二以上の棚体により構成されていることで、机天板部から下ろした際に、例えば、一つの棚体では高さが不足することがあるが、二以上の棚体の各々を高さ方向に積み上げることで、所定の高さを有する棚構造体に組み上げることができる。
【００２６】
更にまた、棚構造体の構成状態で外観上不可視な位置に、各棚体を連結可能な連結構造部が設けられているので、棚構造体とした際に各棚体が連結され、相互に外れにくくなって安定性が向上し、これにより、使用するユーザーの安全性を向上させることができる。また、連結構造部は、棚構造体の構成状態で外観上不可視な位置に設けられたことにより、接続金具等が外部に見えず、見た目が良い棚構造体となる。
【考案の効果】
【００２７】
本考案による机ユニットによれば、机天板部の上面に二以上の棚体を備えた態様で使用することができると共に、ユーザーが机天板部を広く使うべく棚体を下ろした際にも、棚構造体として有効活用することができる。また、本考案による棚セットによれば、机天板部の上面に載置して使用することができると共に、ユーザーが机天板部を広く使うべく棚体を下ろした際にも有効活用することができる。
【図面の簡単な説明】
【００２８】
【図１】本考案に係る机ユニットの一実施の形態を示し、棚セットを机天板部から下ろして卓上領域を拡張した態様の説明図である。
【図２】図１の態様にする前の態様を示し、（ａ）は棚セットを机天板部に設置した状態の正面視斜視図、（ｂ）は背面視斜視図である。
【図３】本考案に係る棚構造体（棚セット）を示し、（ａ）は斜視説明図、（ｂ）は上棚と下棚の連結構造を示す説明図である。
【図４】棚構造体（棚セット）の変形例を示し、上位にある中棚上面と机天板部の上面が面一な態様（変形例１）の斜視図である。
【図５】棚構造体（棚セット）の変形例を示し、（ａ）は各棚体の横幅のみが相違した態様（変形例２）の斜視説明図、（ｂ）は各棚体の奥行きのみが相違した態様（変形例３）の斜視説明図である。
【図６】棚構造体（棚セット）の変形例を示し、各棚体の高さが相違した態様（合計高さは机本体の高さと同じ。変形例４）の斜視説明図である。
【図７】机本体および棚構造体の双方の上面が面一ではない変形例を示し、（ａ）は机本体正面より高い態様（変形例５）で隣接した要部の斜視説明図、（ｂ）は机本体正面より低い態様（変形例６）で隣接した要部の斜視説明図である。
【図８】非特許文献１に開示された学習机を示した説明図である。
【考案を実施するための形態】
【００２９】
図１ないし図７を参照して、本考案の実施の形態を更に詳細に説明する。なお、以下の説明は、〔第１実施形態〕、〔変形例１〕、〔変形例２〕、〔変形例３〕、〔変形例４〕、〔変形例５〕、〔変形例６〕の順序により行う。また、各図における符号は、煩雑さを軽減し理解を容易にする必要な範囲内で付しており、同一符号が付される複数の同等物についてはその一部にのみ符号を付す場合がある。
【００３０】
〔第１実施形態〕
図１および図２を参照する。机ユニット１は、机本体２と棚セット３により構成されている。机本体２と棚セット３については、以下詳述する。
【００３１】
（机本体）
机本体２は、一対の脚部２１と、各脚部２１の上部間に渡して取り付けられた机天板部２２を有する。机天板部２２は、上面が平坦な平面視長方形の板体である。具体的には、机天板部２２は、平面視で長手方向が９５０ｍｍ、短手方向が６００ｍｍの寸法で、厚みが２０ｍｍに形成されている。
【００３２】
各脚部２１は、板状であって、机天板部２２の下面側の長手方向両端（図１等で左右側）に、机天板部２２と直交するように接合されている。なお、各脚部２１は、高さの寸法が７４０ｍｍであり、前述の机天板部２２の厚みを加えると、机本体の高さは７６０ｍｍとなる。
【００３３】
また、各脚部２１は、高さ方向中間部分が上端近傍および下端近傍よりも幅が狭く形成され、また、高さ方向上端近傍の幅が机天板部２２の短手方向の長さと略同一に形成されている。この各脚部２１の高さ方向上端近傍の間かつ机天板部２２直下の領域には、２つの引き出し部２３が水平方向に並設して取り付けられている。
【００３４】
更にまた、各脚部２１は、下端に畳摺状の横木（符号省略）が取り付けられており、これにより、各脚部２１の幅方向の長さが延長されて転倒抑止効果を向上させると共に、接地面積を拡大させて床面に傷や跡がつきにくようにしてある。そして、各脚部２１は、その下部の間かつ机本体の奥側に幕板が取り付けられ、補強されている。
【００３５】
本実施形態で机本体２は、前述の構成であるが、これに限定するものではなく、例えば、机天板部と４本の脚部を有するもの等であってもよい。
【００３６】
（棚セット）
棚セット３は、２つの棚体により構成されている。なお、本実施形態で棚体は、本棚３１、整理棚３２により構成されているが、これに限定するものではなく、例えば、両方の棚体が本棚あるいは整理棚であってもよい。また、本棚あるいは整理棚には、引き出しが組み込まれたものや、前面の開口部に扉を有するものであってもよく、その態様は特に限定されない。
【００３７】
図２に示すように、本棚３１、整理棚３２は、それぞれ棚天板部（本棚３１については棚天板部３１１、整理棚３２については棚天板部３２１）を有し、両方を並べて机天板部２２の上面に載置することができる大きさに形成されている。具体的には、本棚３１、整理棚３２は、いずれも幅４７２ｍｍ、奥行き２３０ｍｍ、高さ３８０ｍｍに形成されている。すなわち各棚体は、幅方向、奥行き方向、高さ方向の寸法のいずれもが同一に設定されている。
【００３８】
本棚３１、整理棚３２は、側面板および背面板（いずれも符号省略）の下端に固定金具４が取り付けられており、固定金具４を机天板部２２の縁に掛着することで、本棚３１、整理棚３２が机天板部２２から容易に外れないようにしてある。
【００３９】
図２に示す使用態様では、机本体２の卓上領域（机天板部２２の上面）に２つの棚体（本棚３１、整理棚３２）があるため整理整頓がしやすく、従来の学習机９等と比較して、作業等の際の利便性が向上している。そして、机天板部２２に固定された本棚３１、整理棚３２は、奥行きと高さが同一であるため、並べて取り付けた際に、まとまり良く収まり、見た目が良い。
【００４０】
加えて、本棚３１と整理棚３２を並べた際の長手方向の距離の合計は９４４ｍｍであり、机天板部２２の長手方向の距離が９５０ｍｍであるので、並置した本棚３１と整理棚３２が机天板部２２の板上にちょうど収まり、本棚３１と整理棚３２の側面と机天板部２２の端面が鉛直方向に略一致するので、固定具４による各棚３１、３２の固定がしやすいと共に、見た目のまとまりも良い。
【００４１】
図１を参照する。図１に示す使用態様では、机本体２と、机本体２から下ろした棚セット３が棚構造体３０の態様に組み立てられている。棚構造体３０は、本棚３１を上側に、整理棚３２を下側にし、高さ方向に重ねて配置されている。
【００４２】
本実施形態において、本棚３１と整理棚３２の幅方向の寸法および奥行き方向の寸法の両方が同一であるため、組み立てて棚構造体３０にした際に、幅方向および奥行き方向の寸法が揃った一体物の棚に見えることから、見た目のまとまりが良い。
【００４３】
本実施形態において、本棚３１と整理棚３２を積み重ねた状態の合計高さは７６０ｍｍであり、机本体２の高さ（脚部２１下端から机天板部２２上面までの高さ）も７６０ｍｍと、同じ高さであるので、図１に示すように、机本体２の側方に棚構造体３０を隣接させた状態で、机天板部２２上面と本棚３１の棚天板部３１１の上面が連続し面一になる。当該状態において、本棚３１の棚天板部３１１の上面が卓上領域拡張部となり、机天板部２２と連続し拡張された卓上領域を形成することができる。
【００４４】
（連結構造部）
図３を参照する。連結構造部は、高さ方向に重ねた本棚３１と整理棚３２を連結する部分である。本実施形態において連結構造部は、本棚３１の左右の側面板下端に設けられた合計４つのダボ孔３１２と、整理棚３２の左右の側面板上端に設けられた合計４つのダボ孔３２２と、対応する位置のダボ孔３１２とダボ孔３２２の両方に嵌挿される合計４本の接続軸３３と、により構成されている。前述の連結構造部を有することにより、組み立てた棚構造体３０は、本棚３１と整理棚３２が相互に横ずれしないので外れにくく、これにより安定性が向上し、使用するユーザーの安全性を向上させることができる。
【００４５】
〔変形例１〕
図４に示す棚セット３ａは、棚セット３の変形例であり、上位に配置される棚体（本変形例では本棚３１）の構成が相違している。以下、主に相違点を説明する。なお、机本体２と整理棚３２については、第１実施形態の机ユニット１と同様の構成であるため、説明を省略し、図４には図１と同一の符号を付している。
【００４６】
棚セット３ａは、本棚３１ａが、棚天板部３１１ａと中棚板部３１３を有する構造である。そして、本棚３１ａは、整理棚３２の上に積み重ねて構成した棚構造体３０ａの状態において、中棚板部３１３の上面が机天板部２２の上面と面一に連続する、卓上領域拡張部を構成すると共に、棚天板部３１１ａの位置が机天板部２２の上面よりも高くなるように設けられている。
【００４７】
棚セット３ａによれば、中棚板部３１３の上面による机天板拡張部を以て、机天板部２２と連続し拡張された卓上領域を得ることができる。これにより、例えば、子供の成長に伴って増えた教材等を卓上で展開しやすくすることができる。加えて、拡張された卓上領域が机天板部２２と面一であるので、卓上に置いた教材の高さが不均衡になる等の不都合が生じにくく、段差の不存在により、ユーザーの使用感が良い。また、棚セット３ａによれば、棚天板部３１１ａに鞄や教材等を置くこともできる。
【００４８】
〔変形例２〕
第１実施形態においては、本棚３１と整理棚３２の幅方向の寸法が同一であるが、これに限定するものではなく、例えば、図５（ａ）に示す棚セット３ｂのように、本棚３１ｂと整理棚３２ｂの幅方向の寸法が相違する態様（本棚３１ｂと整理棚３２ｂの奥行き方向の寸法は同一）であってもよい。棚セット３ｂによれば、本棚３１ｂと整理棚３２ｂにより構成される棚構造体３０ｂを、幅方向に段が付いたユニークな形状にすることができる。
【００４９】
〔変形例３〕
第１実施形態においては、本棚３１と整理棚３２の奥行き方向の寸法が同一であるが、これに限定するものではなく、例えば、図５（ｂ）に示す棚セット３ｃのように、本棚３１ｃと整理棚３２ｃの奥行き方向の寸法が相違する態様（本棚３１ｃと整理棚３２ｃの幅方向の寸法は同一）であってもよい。棚セット３ｃによれば、本棚３１ｃと整理棚３２ｃにより構成される棚構造体３０ｃを、奥行き方向に段が付いたユニークな形状にすることができる。
【００５０】
〔変形例４〕
第１実施形態においては、本棚３１と整理棚３２の高さ方向の寸法が同一であるが、これに限定するものではなく、例えば、図６に示す棚セット３ｄのように、本棚３１ｄと整理棚３２ｄの高さ方向の寸法が相違し、本棚３１ｄと整理棚３２ｄの高さの合計値が机本体の高さと同一に設定された態様（本棚３１ｄと整理棚３２ｄの奥行き方向および幅方向の寸法は同一）であってもよい。なお、棚セット３ｄでは、本棚３１ｄが整理棚３２ｄよりも高く設けられている。
【００５１】
棚セット３ｄによれば、机天板部２２の上面に本棚３１ｄと整理棚３２ｄを並べて載置した使用状態において、左右の幅方向で棚体の高さが相違したユニークな形状にすることができる。一方、本棚３１ｄと整理棚３２ｄを重ねて棚構造体３０ｄを構成する使用態様においては、本棚３１ｄの棚天板部３１１ｄが、机天板部２２の上面と面一に連続する、卓上領域拡張部を構成することができる。
【００５２】
〔変形例５〕
第１実施形態においては、机本体２の側方に棚構造体３０を隣接させた状態で、机天板部２２上面と本棚３１の棚天板部３１１上面が連続し面一になり、棚天板部３１１上面が卓上領域拡張部を構成しているが、これに限定するものではなく、例えば、図７（ａ）に示す棚セット３ｅのように、本棚３１ｅの棚天板部３１１ｅ上面が、机天板部２２の上面よりも所定高さ（約３〜１５ｃｍ）の段差で高い態様であってもよい。
【００５３】
〔変形例６〕
また、前述の変形例５とは反対に、例えば、図７（ｂ）に示す棚セット３ｆのように、本棚３１ｆの棚天板部３１１ｆ上面が、机天板部２２の上面よりも所定高さ（約３〜１５ｃｍ）の段差で低い態様であってもよい。
【００５４】
前述の変形例２〜４において、各棚体の横幅相違型、奥行き相違型、高さ相違型について説明したが、これに限定するものではなく、例えば、横幅、奥行き、高さの全てが相違する態様であってもよいし、横幅、奥行き、高さの中から二以上が相違する態様であってもよい。
【００５５】
本実施の形態において、連結構造部は図３に示すようにダボ孔とこれに嵌挿される接続軸からなる態様であるが、これに限定するものではなく、例えば、各棚体の上面部分に形成された凸部あるいは凸条と、各棚体の下面部分に形成された凹部あるいは凹溝とが嵌合する態様等の連結構造を採用することができる。なお、連結構造部が設けられていない態様を除外するものではないが、棚構造体を保持するために、各棚体の連結状態を保持できる何らかの連結構造を設けることが好ましい。
【００５６】
本明細書及び本実用新案登録請求の範囲で使用している用語と表現は、あくまでも説明上のものであって、なんら限定的なものではなく、本明細書及び本実用新案登録請求の範囲の範囲に記述された特徴およびその一部と等価の用語や表現を除外する意図はない。また、本考案の技術思想の範囲内で、種々の変形態様が可能であるということは言うまでもない。
【符号の説明】
【００５７】
１    机ユニット
２    机本体
２１    脚部
２２    机天板部
２３    引き出し部
３、３ａ、３ｂ、３ｃ、３ｄ、３ｅ、３ｆ    棚セット
３０、３０ａ、３０ｂ、３０ｃ、３０ｄ    棚構造体
３１、３１ａ、３１ｂ、３１ｃ、３１ｄ、３１ｅ、３１ｆ    本棚
３１１、３１１ａ、３１１ｃ    棚天板部
３１２    ダボ孔
３１３    中棚板部
３２、３２ｂ、３２ｃ    整理棚
３２１    棚天板部
３２２    ダボ孔
３３    接続軸
４    固定金具
９    学習机
９１    机
９２    天板
９３    本棚
【図１】
0003219359.tif 000003
【図２】
0003219359.tif 000004
【図３】
0003219359.tif 000005
【図４】
0003219359.tif 000006
【図５】
0003219359.tif 000007
【図６】
0003219359.tif 000008
【図７】
0003219359.tif 000009
【図８】
0003219359.tif 000010
【手続補正書】
【提出日】平成30年10月17日(2018.10.17)
【手続補正１】
【補正対象書類名】実用新案登録請求の範囲
【補正対象項目名】全文
【補正方法】変更
【補正の内容】
【実用新案登録請求の範囲】
【請求項１】
机天板部を有する机本体と、
前記机天板部の上面に並置可能な大きさの二以上の棚体により構成され、該各棚体は、前記机天板部から下ろして高さ方向に積み重ねることで所定高さの棚構造体を構成可能であり、該棚構造体の構成状態で外観上不可視な位置に、前記各棚体を連結可能な連結構造部が設けられた、棚セットとを備える
机ユニット。
【請求項２】
前記棚セットは、前記棚体の少なくとも１つが棚天板部または中棚板部を有し、該棚体が上位に配置されると共に、前記机本体の側方に隣接させた前記棚構造体の構成状態で、前記棚天板部または前記中棚板部のいずれか一方の上面が前記机天板部と隣接する卓上領域拡張部を構成する
請求項１に記載の机ユニット。
【請求項３】
前記棚セットは、前記棚体の少なくとも１つが棚天板部と中棚板部を有し、該棚体を上位に配置し前記机本体の側方に隣接させた前記棚構造体の構成状態で、前記中棚板部の上面が、前記机天板部の上面と面一または略面一となった卓上領域拡張部を構成する
請求項１に記載の机ユニット。
【請求項４】
前記棚セットは、各棚体が棚天板部を有すると共に、積み重ね状態における各棚体の高さの合計値が前記机天板部上面の高さと同一または略同一であり、前記机本体の側方に隣接させた棚構造体の構成状態で、上位に配置された前記棚体の前記棚天板部の上面が、前記机天板部の上面と面一または略面一となった卓上領域拡張部を構成する
請求項１に記載の机ユニット。
【請求項５】
前記連結構造部は、少なくとも、上位に配置される棚体の下部に形成された第１のダボ孔、下位に配置される棚体の上部かつ前記第１のダボ孔と対応する位置に形成された第２のダボ孔、および、前記第１のダボ孔と前記第２のダボ孔に嵌挿可能な接続軸を有する構造である
請求項１、請求項２、請求項３または請求項４に記載の机ユニット。
【請求項６】
前記棚セットは、前記各棚体の幅方向の寸法、または、同各棚体の奥行き方向の寸法、のいずれか一方あるいは両方が、同一または略同一に設定されている
請求項１、請求項２、請求項３、請求項４または請求項５に記載の机ユニット。
【請求項７】
卓上棚と棚構造体を構成する二以上の棚体を有し、該棚体は、横方向への並置状態における同各棚体の横幅の合計値が、載置する机天板部上面の横幅と同一または略同一に設定され、高さ方向への積み重ね状態で所定高さの前記棚構造体となると共に、同棚構造体にした状態で、外観上不可視な位置に、上下方向にある前記棚体を連結する連結構造部が設けられている
棚セット。